(57)【要約】【課題】同一構成で機能の異なる複数の各部材に関するデータの誤認識をすることなく円滑なデータの送受信を図り、作業性及び信頼性の低下の防止を図ること。【解決手段】  同一構成で且つ互いに異なる機能を実現する複数のＬＰＨ３３Ｙ、３３Ｍ、３３Ｃ、３３Ｋを備えた画像形成装置１において、ＬＰＨ毎に設けられＬＰＨに係る光量補正データを記憶するＩＣチップ及びＩＣチップに記憶されている光量補正データを無線通信により送受信するアンテナコイルを有するＲＦＩＤタグ６１０Ｙ、６１０Ｍ、６１０Ｃ、６１０Ｋと、同一周波数帯域で、且つ、ＬＰＨ毎に設けられたＲＦＩＤタグとの無線周波数を当該周波数帯域内で異ならせて無線通信を行うＲＦＩＤリーダ／ライタ６２０Ｙ、６２０Ｍ、６２０Ｃ、６２０Ｋと、を備える画像形成装置１。【選択図】図２
2008299085.tif 000002
【特許請求の範囲】
【請求項１】
同一構成で且つ互いに異なる機能を実現する複数の部材を備えた画像形成装置において、
前記部材毎に設けられ前記部材に係るデータを記憶する記憶手段と、
前記部材毎に設けられた前記記憶手段に記憶されている前記データを無線通信により送受信する第１通信手段と、
構成毎に同一周波数帯域で、且つ、前記部材毎に設けられた第１通信手段との無線周波数を当該周波数帯域内で異ならせて無線通信を行う第２通信手段と、
を備える画像形成装置。
【請求項２】
前記部材は、複数のＬＥＤ素子を有する各色の露光手段であり、
前記記憶手段は、前記露光手段毎に設けられ、前記ＬＥＤ素子の光量を調整する補正データを記憶しており、
前記第１通信手段は、前記補正データを無線通信により前記第２通信手段と送受信を行い、
前記第２通信手段は、各色の前記露光手段毎に設けられた第１通信手段との無線周波数を同一周波数帯域内で異ならせて無線通信を行う、
請求項１に記載の画像形成装置。
【請求項３】
前記第２通信手段は、前記部材毎に設けられている、
請求項１又は２に記載の画像形成装置。
【請求項４】
前記第２通信手段は、複数の前記部材に共通して設けられ、前記部材毎に設けられた第１通信手段と個別に無線通信を行う、
請求項１又は２に記載の画像形成装置。
【発明の詳細な説明】
【技術分野】
【０００１】
本発明は、画像形成装置に関する。
【背景技術】
【０００２】
近年、感光体の表面に静電画像を形成させる露光手段、露光手段により静電画像が形成される感光体ドラム、静電画像が形成された感光体ドラムにトナーを付着させる現像装置等を色毎に備えた画像形成装置、即ち、同一構成で機能の異なる複数の部材を備えた画像形成装置がある。
【０００３】
このような画像形成装置において、同一構成の各部材の品質等を管理するため、単一のアンテナと、印字する色毎の画像形成ユニット（各部材）に配置され各画像形成ユニットの交換指示を予告する交換予告情報を記憶するＲＦＩＤ（Radio Frequency Identification）タグと、画像形成ユニットの残使用期間を計測する計測手段と、計測手段が充分な残使用期間があると計測した際、対応するＲＦＩＤタグに交換予告情報が記憶されていると、異常報知を行なう報知手段と、を有する印刷装置が開示されている（特許文献１参照）。
【特許文献１】特開２００５−１４１０４４号公報
【発明の開示】
【発明が解決しようとする課題】
【０００４】
しかしながら、上述したような技術において、単一のアンテナから各部材に設けられたＲＦＩＤタグに発せられる無線周波数は、単一の周波数であると推測される。この場合、各ＲＦＩＤタグから取得したデータ内に含まれるＲＦＩＤタグを識別する識別コードを認識することで、各ＲＦＩＤタグの認識、即ち、各ＲＦＩＤタグが設けられた各部材の認識を行なう認識処理が必要となっている。
【０００５】
感光体の表面に静電潜像を形成させる露光手段として、ＬＥＤ（Light Emitting Diode）プリンタヘッド（以下、ＬＰＨと称す。）を用いた画像形成装置が開発されている。ＬＰＨは、主走査方向に沿って予め設定された解像度に応じて配列された複数のＬＥＤ素子を有するＬＥＤチップがアレイ上に配置されており、画像データに応じて発光されたＬＥＤ素子からの照射光を集光させて感光体に静電潜像を形成させるＧＲＩＮ（Graded-Index）レンズ等の光学手段等を備えて構成されている。
【０００６】
このようなＬＰＨは、ＬＥＤ素子の製造バラツキ、ＧＲＩＮレンズの光学特性等に伴い、光量ムラが発生することが知られている。そこで近年のＬＰＨは、この光量ムラを解消するために、ＬＥＤ素子を点灯させるドライバ回路の電流値をデジタル的に制御して複数のＬＥＤ素子の光量が一定となるような光量補正データを記憶した電気的に消去及び書き込み可能な不揮発性の記憶手段（例えば、ＥＥＰＲＯＭ（Electronically Erasable and Programmable Read Only Memory））を備えている。そして、画像形成装置を統括的に制御する制御装置がＬＰＨ内に設けられた不揮発性の記憶手段から光量補正データを読み出し、読み出した光量補正データと入力される画像データとに基づいて露光を行なっている。
【０００７】
先述した従来の技術を色毎にＬＰＨを備えた画像形成装置に応用した場合、即ち、各ＬＰＨの光量補正データをＲＦＩＤタグに格納し単一の周波数で各ＬＰＨに設けられたＲＦＩＤタグから光量補正データを取得しようとした場合、近年の高解像度化に伴い各ＬＰＨの光量補正データは膨大なデータ量となっていることから、光量補正データと共に取得される識別コードを認識して各ＬＰＨを認識する認識処理の時間に時間を要すると、後続する処理（例えば、光量補正データに基づく各ＬＥＤの補正処理等）の開始が遅れたり識別コードの誤認識により他のＬＰＨの光量補正データに基づく誤った補正処理が実行されてしまったりという問題が生じる恐れがあり、画像形成装置としての作業性及び信頼性の低下を招くという問題が生じる。
【０００８】
本発明の課題は、上記問題に鑑みて、同一構成で機能の異なる複数の各部材に関するデータの誤認識をすることなく円滑なデータの送受信を図り、作業性及び信頼性の低下の防止を図ることである。
【課題を解決するための手段】
【０００９】
請求項１に記載の発明によれば、同一構成で且つ互いに異なる機能を実現する複数の部材を備えた画像形成装置において、前記部材毎に設けられ前記部材に係るデータを記憶する記憶手段と、前記部材毎に設けられた前記記憶手段に記憶されている前記データを無線通信により送受信する第１通信手段と、構成毎に同一周波数帯域で、且つ、前記部材毎に設けられた第１通信手段との無線周波数を当該周波数帯域内で異ならせて無線通信を行う第２通信手段と、を備える画像形成装置が提供される。
【００１０】
請求項２に記載の発明によれば、請求項１に記載の画像形成装置において、前記部材は、複数のＬＥＤ素子を有する各色の露光手段であり、前記記憶手段は、前記露光手段毎に設けられ、前記ＬＥＤ素子の光量を調整する補正データを記憶しており、前記第１通信手段は、前記補正データを無線通信により前記第２通信手段と送受信を行い、前記第２通信手段は、各色の前記露光手段毎に設けられた第１通信手段との無線周波数を同一周波数帯域内で異ならせて無線通信を行う。
【００１１】
請求項３に記載の発明によれば、請求項１又は２に記載の画像形成装置において、前記第２通信手段は、前記部材毎に設けられている。
【００１２】
請求項４に記載の発明によれば、請求項１又は２に記載の画像形成装置において、前記第２通信手段は、複数の前記部材に共通して設けられ、前記部材毎に設けられた第１通信手段と個別に無線通信を行う。
【発明の効果】
【００１３】
請求項１に記載の発明によれば、同一構成で機能の異なる複数の各部材に関するデータの誤認識をすることなく円滑なデータの送受信を図り、作業性及び信頼性の低下の防止を図ることができる。
【００１４】
請求項２に記載の発明によれば、請求項１と同様の効果を得られるのは勿論のこと、各色の露光手段に設けられた第１通信手段と第２通信手段との無線周波数が、同一周波数帯域内で異なることにより、他の第１通信手段と当該他の第１通信手段に対応する第２通信手段とによる無線通信の影響を受けず、且つ、識別コードの認識処理を必要とせずに、露光手段に対応する光量補正データを取得することができるため、光量補正データ取得後の処理の開始が遅れたり誤った光量補正データでＬＥＤ素子の光量を補正して誤動作を生じさせたりすることを低減でき、画像形成装置としての作業性及び信頼性の低下を防止することができる。
【００１５】
請求項３に記載の発明によれば、請求項１又は２と同様の効果を得られるのは勿論のこと、第１通信手段と第２通信手段とが１対１の装置構成となるため、データを送受信する際の動作を簡素化することができ、作業性を向上できる。
【００１６】
請求項４に記載の発明によれば、請求項１又は２と同様の効果を得られるのは勿論のこと、第１通信手段と第２通信手段とがｎ対１（ｎは自然数）の装置構成となるため、第２通信手段の設置コストや配線数の低減、即ち、メンテナンス部品数の低減が図られることから、信頼性の低減を防止することができる。
【発明を実施するための最良の形態】
【００１７】
［実施の形態１］
以下、図を参照して本発明の実施の形態１を詳細に説明する。
まず、構成を説明する。
図１に、本実施の形態１における画像形成装置１の概略断面構成図を示す。
【００１８】
画像形成装置１は、原稿から画像を読み取り、読み取った画像を紙等の用紙Ｐに画像形成するコピー機能や、ＰＣ（Personal Computer）等の外部装置から画像データを受信し、画像データが表す画像を用紙Ｐ上に形成して出力するプリンタ機能等を備えたデジタル複合機である。図１に示すように、画像形成装置１は、画像読取部１０、プリント部２０から構成される。
【００１９】
画像読取部１０は、ＡＤＦ（Auto Document Feeder）と称される自動原稿送り部１１と読取部１２とを備える。
自動原稿送り部１１は、原稿トレイに積載される原稿を最上部から順に搬送させ、原稿の読取個所であるコンタクトガラスに原稿を密着させながら通過させ、そして、コンタクトガラスを通過して読み取りが完了した原稿を排紙トレイに排出させる。
【００２０】
読取部１２は、光源、レンズ、コンタクトガラス、ＣＣＤ（Charge Coupled Device）イメージセンサ等からなるスキャナを備えて構成され、原稿に照射した光の反射光を結像して光電変換することにより原稿の原稿画像（アナログ画像信号）を読み取り、読み取った原稿画像にＡ／Ｄ変換や各種画像処理を施した後、プリントデータとしてプリント部２０に出力する。ここで、画像とは、図形や写真等のイメージデータに限らず、文字や記号等のテキストデータ等も含む意である。
【００２１】
プリント部２０は、入力されたプリントデータに基づいて、電子写真方式の画像形成を行うものであり、画像形成部３０と、クリーニング部４０と、転写ベルト５０と、給紙部６０と、搬送部７０と、定着部８０とを備えて構成される。
【００２２】
本実施の形態１の画像形成部３０は、最大４色（イエロー（Ｙ）、マゼンダ（Ｍ）、シアン（Ｃ）、ブラック（Ｋ））の画像を形成する際に、夫々異なる色のトナーを充填可能な色毎の画像形成部３０Ｙ、３０Ｍ、３０Ｃ、３０Ｋを備えて構成されている。
【００２３】
例えば、画像形成部３０Ｙは、感光体ドラム３１Ｙと、帯電装置３２Ｙと、露光手段としてのＬＥＤプリンタヘッド（以下、ＬＰＨと称す。）３３Ｙと、現像装置３４Ｙと、転写装置３５Ｙと、クリーニング装置３６Ｙとを備え、イエロー（Ｙ）の画像を形成する。
【００２４】
ＬＰＨ３３Ｙは、主走査方向に配列された複数の発光ダイオード（ＬＥＤ；Light Emitting Diode）を露光光源として備えると共に、複数のＧＲＩＮ（Graded-Index）レンズを主走査方向Ｘに配列させた光学部材、ＬＥＤ駆動／光量補正回路等を備えると共に、後述するＲＦＩＤタグが設けられており、画像データに基づいてＬＥＤが選択的に駆動され、駆動されたＬＥＤから照射される光を感光体ドラム３１Ｙ上に集光させて結像させる。
【００２５】
ＬＥＤは、ＬＥＤ製造時の機械的特性及び電気的特性のバラツキ、ＬＥＤ駆動回路の電流抵抗のバラツキ、実装部材（ＬＥＤ搭載基板等）の電気的なバラツキ等により、同一条件下で駆動しても、各ＬＥＤの光量に差が発生することが知られている。
そのため、ＬＰＨ３３Ｙ全体の光量のバラツキを一定の範囲内に収まるように、ＬＥＤ駆動／光量補正回路には、ＬＥＤ素子毎に電流量及び立ち上がり駆動特性及び各ＬＥＤ素子の光量を補正する補正部が設けられており、ＬＰＨ３３Ｙに設けられている後述するＲＦＩＤタグから取得された光量補正データと入力される画像データとに基づいて、各ＬＥＤの光量補正及び駆動動作が行なわれる。
【００２６】
具体的には、帯電装置３２Ｙにより帯電された感光体ドラム３１Ｙに、ＬＰＨ３３Ｙからイエロー（Ｙ）の画像データに応じた光を照射して潜像画像を形成する。そして、現像装置３４Ｙは、潜像画像が形成された感光体ドラム３１Ｙの表面に帯電したイエロー（Ｙ）のトナーを付着させて潜像画像を現像する。現像装置３４Ｙによりトナーが付着された感光体ドラム３１Ｙは、転写装置３５Ｙが配置された転写位置へ一定速度で回転されながら後述する転写ベルト５０に転写される。転写ベルト５０にトナー画像が転写された後、クリーニング装置３６Ｙが、感光体ドラム３１Ｙの表面の残留電荷や残留トナー等を除去する。
【００２７】
画像形成部３０Ｍ、３０Ｃ、３０Ｋは、画像形成部３０Ｙと同様の構成から成り、感光体ドラム３１Ｍ、３１Ｃ、３１Ｋの周囲に配置された帯電装置３２Ｍ、３２Ｃ、３２Ｋ、ＬＰＨ３３Ｍ、３３Ｃ、３３Ｋ、現像装置３４Ｍ、３４Ｃ、３４Ｋ、転写装置３５Ｍ、３５Ｃ、３５Ｋ、クリーニング装置３６Ｍ、３６Ｃ、３６Ｋを備え、マゼンタ（Ｍ）、シアン（Ｃ）、ブラック（Ｋ）のトナー画像をそれぞれ形成する。
【００２８】
即ち、画像形成部３０Ｙ、３０Ｍ、３０Ｃ、３０Ｋは、同一構成で且つ互いに異なる機能（互いに異なる色の画像を形成する）を実現する部材である。
更に、画像形成部３０Ｙ、３０Ｍ、３０Ｃ、３０Ｋが備える感光体ドラム３１Ｙ、３１Ｍ、３１Ｃ、３１Ｋは、互いに異なる色の静電潜像が形成されトナー画像が形成される部材であり、ＬＰＨ３３Ｙ、３３Ｍ、３３Ｃ、３３Ｋは、互いに異なる色の静電画像を形成する部材であり、現像装置３４Ｙ、３４Ｍ、３４Ｃ、３４Ｋは、互いに異なる色のトナーを感光体ドラム３１Ｙ、３１Ｍ、３１Ｃ、３１Ｋに付着させる部材であることから、これらも同一構成で且つ互いに異なる機能を実現する部材であるといえる。
【００２９】
本実施の形態１においては、同一構成で且つ互いに異なる機能を実現する部材としてＬＰＨを挙げて説明する。
【００３０】
転写ベルト５０は、複数のローラに懸架され回転可能に支持された半導電性エンドレスベルトであり、ローラの回転に伴って回転駆動される。
この転写ベルト５０は、転写装置３５Ｙ、３５Ｍ、３５Ｃ、３５Ｋによりそれぞれ感光体ドラム３１Ｙ、３１Ｍ、３１Ｃ、３１Ｋに圧着される。これにより感光体ドラム３１Ｙ、３１Ｍ、３１Ｃ、３１Ｋの表面に現像された各トナーは、転写装置３５Ｙ、３５Ｍ、３５Ｃ、３５Ｋによる転写位置で転写ベルト５０上に搬送された用紙Ｐにイエロー、マゼンタ、シアン、ブラックの各トナーが順次重ねて転写される。
【００３１】
給紙部６０は、複数の給紙トレイ６１と手差しトレイ６２とを備える。
給紙トレイ６１は、給紙トレイ６１毎にサイズや種類毎に予め識別された用紙Ｐが収容されており、給紙ローラ６１ａによって収容された用紙Ｐを最上部から一枚ずつ搬送部７０に向けて搬送する。
手差しトレイ６２は、ユーザのニーズに合わせて様々な種類の用紙Ｐをその都度積載可能となっており、給紙ローラ６２ａによって積載された用紙Ｐを最上部から一枚ずつ搬送部７０に向けて搬送する。
【００３２】
搬送部７０は、給紙トレイ６１又は手差しトレイ６２から搬送された用紙Ｐを、複数の中間ローラ７１ａ、７１ｂ、レジストローラ７２を経て転写装置３５Ｙ等へと搬送する。
【００３３】
定着部８０は、搬送部７０によって搬送された用紙Ｐに転写されたトナー像を熱定着する。定着処理された用紙Ｐは、排紙ローラ７３に挟持されて排紙トレイ７４上に排出される。
【００３４】
転写装置３５Ｙ、３５Ｍ、３５Ｃ、３５Ｋにより用紙Ｐにトナー画像が転写された後、用紙Ｐが曲率及び静電的に分離された転写ベルト５０は、クリーニング部４０により残留トナー等が除去される。
【００３５】
図２に、本実施の形態１における画像形成装置１の制御ブロック図を示す。
図２に示すように、画像形成装置１は、本体制御部１００、機構制御部２００、操作表示部３００、外部Ｉ／Ｆ４００、ＬＰＨ３３Ｙ、３３Ｍ、３３Ｃ、３３Ｋにそれぞれ設けられたＲＦＩＤ（Radio Frequency ID）タグ６１０Ｙ、６１０Ｍ、６１０Ｃ、６１０Ｋ、ＲＦＩＤタグ６１０Ｙ、６１０Ｍ、６１０Ｃ、６１０Ｋそれぞれに対応する位置に設けられたＲＦＩＤリーダ／ライタ６２０Ｙ、６２０Ｍ、６２０Ｃ、６２０Ｋ、画像読取部及びプリント部などにより構成され、各部はバス５００により接続されている。
【００３６】
本体制御部１００は、ＣＰＵ（Central Processing Unit）１１０、ＲＯＭ（Read OnlyMemory）１２０、不揮発メモリ１３０、ＲＡＭ（Random Access Memory）１４０、画像処理部１５１、画像処理部１５１と接続されたＬＰＨ制御部１５２、Ｉ／Ｏ（Input/Output）１６０等を備えている。
【００３７】
ＣＰＵ１１０は、ＲＯＭ１２０又は不揮発メモリ１３０に記憶されているシステムプログラム、各処理プログラム、データを読み出して、不揮発メモリ１３０又はＲＡＭ１４０内に展開し、展開されたプログラムに従って、画像形成装置１各部の動作を集中制御する。システム全体のタイミング制御、不揮発メモリ１３０又はＲＡＭ１４０を使用した画像データの記憶及び蓄積制御、プリント部２０に対する画像データの入出力制御、他のアプリケーション（ＦＡＸ、プリンタ、スキャナ等）とのインターフェース（Ｉ／Ｆ）や動作制御を行うものである。
【００３８】
また、ＣＰＵ１１０は、外部Ｉ／Ｆ４００を介して受信したＰＣ（Personal Computer
）等の外部装置から送信される画像データや、画像読取部１０から送られてきた画像データを、一時的に不揮発メモリ１３０又はＲＡＭ１４０に格納し、画像データに基づいたプリントデータを画像処理部１５１に展開する。ＣＰＵ１１０は、機構制御部２００へ起動指示信号を出力し、画像形成装置１の各部の動作を行わせる。
【００３９】
ＲＯＭ１２０は、画像形成装置１に対応するプログラムやデータなどがあらかじめ記憶されており、システムプログラム、当該システムに対応する各種処理プログラム、各種処理プログラムで処理するのに必要なデータを記憶している。
【００４０】
また、ＲＯＭ１２０は、本実施の形態１において、ＲＦＩＤリーダ／ライタ６２０Ｙ、６２０Ｍ、６２０Ｃ、６２０Ｋそれぞれに対して各ＲＦＩＤリーダ／ライタ６２０Ｙ、６２０Ｍ、６２０Ｃ、６２０Ｋと対応するＲＦＩＤタグ６１０Ｙ、６１０Ｍ、６１０Ｃ、６１０Ｋと無線通信を行わせ、各ＲＦＩＤタグ６１０Ｙ、６１０Ｍ、６１０Ｃ、６１０Ｋ内に記憶されている光量補正データの読み出し又は書き込みを行わせる光量補正データ読出処理又は光量補正データ書込処理を実行させるプログラム、当該プログラムを実行させるために必要な各種データを予め記憶している。
【００４１】
不揮発メモリ１３０は、フラッシュメモリ等で構成され、各種プログラム及びデータを書き換え可能に記憶する。
【００４２】
ＲＡＭ１４０は、ＣＰＵ１１０により実行される各種処理において、ＲＯＭ１２０から読み出されたプログラム、入力、若しくは出力データ及びパラメータなどの一時的な格納領域となる。
【００４３】
画像処理部１５１は、画像読取部１０や外部Ｉ／Ｆ４００等から送られてきた画像データの画像処理（変倍、フィルタ、γ変換など）を行い、プリント出力対象となるプリントデータを生成する。
【００４４】
ＬＰＨ制御部１５２は、画像処理部１５１により生成されたプリントデータを格納すると共に、生成されたプリントデータに基づいた各種信号をＬＰＨ３３Ｙ、３３Ｍ、３３Ｃ、３３Ｋにそれぞれ出力する。
【００４５】
Ｉ／Ｏ１６０は、各ＬＰＨ３３Ｙ、３３Ｍ、３３Ｃ、３３Ｋ内に設けられた各ＲＦＩＤタグ６１０Ｙ、６１０Ｍ、６１０Ｃ、６１０Ｋにそれぞれ対応する位置に設けられたＲＦＩＤリーダ／ライタ６２０Ｙ、６２０Ｍ、６２０Ｃ、６２０Ｋと接続されており、各ＲＦＩＤリーダ／ライタ６２０Ｙ、６２０Ｍ、６２０Ｃ、６２０Ｋから読み出されたデータをＣＰＵ１１０に出力すると共に、不揮発メモリ１３０に記憶させる。
【００４６】
機構制御部２００は、本体制御部１００からの信号に基づいて画像形成装置１内の各種駆動機構及び各種センサ等を統括的に制御するものであり、例えば、感光体ドラム３１Ｙを一定速度で回転させるモータを駆動制御している。
【００４７】
操作表示部３００は、ＬＣＤ（Liquid Crystal Display）又は有機ＥＬ（Electronic Luminescent）素子を用いた等の表示画面や電源スイッチを含む操作キー群、操作表示制御部等から構成される。表示画面上には、表示画面を覆うようにタッチパネルが設けられており、操作表示制御部は、本体制御部１００から入力される表示信号に従って、各種設定条件を入力するための各種設定画面や画像形成装置１の動作状態や処理結果等を表示画面上に表示させる。また、操作表示制御部は、操作キー群又はタッチパネルから入力される操作信号を本体制御部１００に送信する。
【００４８】
外部Ｉ／Ｆ４００は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、通信可能に接続された外部機器と相互に情報の送受信を行う。
【００４９】
ＲＦＩＤタグ６１０Ｙは、ＬＰＨ３３Ｙに貼付等されることにより設けられており、ＬＰＨ３３Ｙが備える各ＬＥＤ素子の光量を調整する補正データ（以下、光量補正データ）を記憶する記憶手段としてのＩＣチップ及び光量補正データを無線通信により対応するＲＦＩＤリーダ／ライタ６２０Ｙと送受信を行う第１通信手段としてのアンテナコイルを有し、ＲＦＩＤリーダ／ライタ６２０Ｙから発せられる無線周波数により生じる誘導電磁界により供給される電力供給によって、ＩＣチップ内に記憶されている光量補正データをＲＦＩＤリーダ／ライタ６２０Ｙに送受信する無電池型のＲＦＩＤタグである。
【００５０】
ＲＦＩＤタグ６１０Ｍ、６１０Ｃ、６１０Ｋは、ＲＦＩＤタグ６１０Ｙと同様に、ＬＰＨ３３Ｍ、３３Ｃ、３３Ｋそれぞれに貼付等されることにより設けられており、ＬＰＨ３３Ｍ、３３Ｃ、３３Ｋが備える各ＬＥＤ素子の光量補正データを記憶するＩＣチップ及び光量補正データを無線通信によりそれぞれ対応するＲＦＩＤリーダ／ライタ６２０Ｍ、６２０Ｃ、６２０Ｋと送受信を行うアンテナコイルを有し、ＲＦＩＤリーダ／ライタ６２０Ｍ、６２０Ｃ、６２０Ｋから発せられる無線周波数により生じる誘導電磁界により供給される電力供給によって、ＩＣチップ内に記憶されている光量補正データをＲＦＩＤリーダ／ライタ６２０Ｍ、６２０Ｃ、６２０Ｋに送受信する無電池型のＲＦＩＤタグである。
【００５１】
ＲＦＩＤリーダ／ライタ６２０Ｙは、Ｉ／Ｏ１６０を介してＣＰＵ１１０と接続されており、ＣＰＵ１１０からの指示に従って、ＲＦＩＤタグ６１０Ｙと無線通信を行うアンテナコイルを有し、当該アンテナコイルによりＲＦＩＤタグ６１０Ｙに対して誘導電磁界を生じさせると共にＲＦＩＤタグ６１０Ｙ内に記憶されている光量補正データの送受信を行う第２通信手段としての機能を実現する。
【００５２】
ＲＦＩＤリーダ／ライタ６２０Ｍ、６２０Ｃ、６２０Ｋは、ＲＦＩＤリーダ／ライタ６２０Ｙと同様に、Ｉ／Ｏ１６０を介してＣＰＵ１１０と接続されており、ＣＰＵ１１０からの指示に従って、ＲＦＩＤタグ６１０Ｍ、６１０Ｃ、６１０Ｋと無線通信を行うアンテナコイルを有し、当該アンテナコイルによりＲＦＩＤタグ６１０Ｍ、６１０Ｃ、６１０Ｋに対して誘導電磁界を生じさせると共にＲＦＩＤタグ６１０Ｍ、６１０Ｃ、６１０Ｋ内に記憶されている光量補正データの送受信を行う。
【００５３】
各色のＬＰＨ３３Ｙ、３３Ｍ、３３Ｃ、３３Ｋ毎に設けられたＲＦＩＤタグ６１０Ｙ、６１０Ｍ、６１０Ｃ、６１０Ｋとそれぞれに対応するＲＦＩＤリーダ／ライタ６２０Ｙ、６２０Ｍ、６２０Ｃ、６２０Ｋとが無線通信を行う際の各無線周波数は、同一周波数帯域内で互いに異なる周波数である。
【００５４】
なお、本実施の形態１におけるＲＦＩＤタグ６１０Ｙ、６１０Ｍ、６１０Ｃ、６１０Ｋ及びＲＦＩＤリーダ／ライタ６２０Ｙ、６２０Ｍ、６２０Ｃ、６２０Ｋは、電磁誘導方式を用いた例を挙げて説明するが、電波方式であってもよい。
【００５５】
電磁誘導方式又は電波方式を用いたＲＦＩＤタグ６１０Ｙ、６１０Ｍ、６１０Ｃ、６１０Ｋ及びＲＦＩＤリーダ／ライタ６２０Ｙ、６２０Ｍ、６２０Ｃ、６２０Ｋが使用可能な無線周波数は、当該画像形成装置１が使用される場所（地域、国等）によって法規的な制約が伴っている点に留意するものとし、また周波数帯域によって最大通信距離、指向性、通信速度、ノイズ、電波障害等の特性が異なる点に留意し、周囲環境に合わせて設定されるものである。
【００５６】
例えば、電磁誘導方式を用いたＲＦＩＤタグ６１０Ｙ、６１０Ｍ、６１０Ｃ、６１０Ｋ及びＲＦＩＤリーダ／ライタ６２０Ｙ、６２０Ｍ、６２０Ｃ、６２０Ｋの場合、無線周波数帯域が１３５［ｋＨｚ］以下の帯域の場合には、日本、米国、欧州で使用可能、最大通信距離が１［ｍ］程度、通信速度が他の帯域よりも若干劣る傾向にあるが指向性が優れているという特徴がある。また、１３．５６［ＭＨｚ］帯域の場合には、日本、米国、欧州で使用可能、最大通信距離が数十［ｃｍ］、１３５［ｋＨｚ］帯域よりも通信速度は優れる傾向にあるが指向性が劣るという特徴がある。
【００５７】
一方、電波方式を用いたＲＦＩＤタグ６１０Ｙ、６１０Ｍ、６１０Ｃ、６１０Ｋ及びＲＦＩＤリーダ／ライタ６２０Ｙ、６２０Ｍ、６２０Ｃ、６２０Ｋの場合、無線周波数帯域が８６０〜９６０［ＭＨｚ］帯域（ＵＨＦ帯域）の場合には、日本は使用不可であるが米国では使用可能、最大通信距離が数［ｍ］、１３５［ｋＨｚ］帯域よりも通信速度は優れる傾向にあるが指向性が劣るという特徴がある。また、２．４５［ＧＨｚ］帯域の場合には、日本、米国、欧州共に使用可能であるが使用可能な無線周波数帯域の法規的な制約が厳しく規定されており、最大通信距離が数［ｍ］、８６０〜９６０［ｋＨｚ］帯域と同様の通信速度であるが指向性が劣るという特徴がある。
【００５８】
従って、使用する無線周波数としては、法規的な規制が各国でほぼ統一傾向にあり指向性が優れた１３５［ｋＨｚ］以下の帯域を用いることが設計コスト等の面で好ましい。
【００５９】
例えば、１３５［ｋＨｚ］以下の帯域を利用した場合、ＬＰＨ３３Ｙに設けられたＲＦＩＤタグ６１０ＹとＲＦＩＤリーダ／ライタ６２０Ｙとの無線周波数を１２５．０［ｋＨｚ］、ＬＰＨ３３Ｍに設けられたＲＦＩＤタグ６１０ＭとＲＦＩＤリーダ／ライタ６２０Ｍとの無線周波数を１２７．５［ｋＨｚ］、ＬＰＨ３３Ｃに設けられたＲＦＩＤタグ６１０ＣとＲＦＩＤリーダ／ライタ６２０Ｃとの無線周波数を１３０．０［ｋＨｚ］、ＬＰＨ３３Ｋに設けられたＲＦＩＤタグ６１０ＫとＲＦＩＤリーダ／ライタ６２０Ｋとの無線周波数を１３２．５［ｋＨｚ］のように、それぞれ同一周波数帯域内で異なる周波数に設定して通信を行うことが好ましい。
【００６０】
次に、本実施の形態１の動作を説明する。
図３に示す処理は、本体制御部１００内のＣＰＵ１１０、ＲＯＭ１２０、不揮発メモリ１３０又はＲＡＭ１４０の協働により実現される動作であり、光量補正データ読出処理のフローチャートを示す。
【００６１】
画像形成装置１の操作表示部３００に設けられた電源スイッチが操作されることにより当該画像形成装置１に電源の供給が開始されると（ステップＳ１）、ＲＦＩＤリーダ／ライタ６２０Ｙ、６２０Ｍ、６２０Ｃ、６２０Ｋが同時又は順次にそれぞれ駆動され、対応するＲＦＩＤタグ６１０Ｙ、６１０Ｍ、６１０Ｃ、６１０Ｋに対して同一周波数帯域内で互いに異なる無線周波数が発せられ、光量補正データの読み出しが開始される（ステップＳ２）。
【００６２】
各ＲＦＩＤタグ６１０Ｙ、６１０Ｍ、６１０Ｃ、６１０Ｋは、対応するＲＦＩＤリーダ／ライタ６２０Ｙ、６２０Ｍ、６２０Ｃ、６２０Ｋから発せられる無線周波数により生じる誘導電磁界により供給される電力供給によって、ＩＣチップ内に記憶されている光量補正データを対応するＲＦＩＤリーダ／ライタ６２０Ｙ、６２０Ｍ、６２０Ｃ、６２０Ｋに送信する（ステップＳ３）。
【００６３】
各ＲＦＩＤリーダ／ライタ６２０Ｙ、６２０Ｍ、６２０Ｃ、６２０Ｋが対応するＲＦＩＤタグ６１０Ｙ、６１０Ｍ、６１０Ｃ、６１０Ｋから光量補正データが取得され、取得された光量補正データは当該光量補正データが読み出されたＲＦＩＤタグ６１０Ｙ、６１０Ｍ、６１０Ｃ、６１０Ｋが貼付されたＬＰＨ３３Ｙ、３３Ｍ、３３Ｃ、３３Ｋの光量補正データとして不揮発メモリ１３０に記憶される（ステップＳ４）。
【００６４】
ステップＳ４後、画像形成装置１内の画像データに関する処理の起動処理が開始され（ステップＳ５）、本処理は終了される。
【００６５】
このように本実施の形態１によれば、ＬＰＨ３３Ｙ、３３Ｍ、３３Ｃ、３３Ｋに設けられ、光量補正データを記憶しているＲＦＩＤタグ６１０Ｙ、６１０Ｍ、６１０Ｃ、６１０Ｋと、当該ＲＦＩＤタグ６１０Ｙ、６１０Ｍ、６１０Ｃ、６１０Ｋから光量補正データを読み出すＲＦＩＤリーダ／ライタ６２０Ｙ、６２０Ｍ、６２０Ｃ、６２０Ｋと、の無線周波数が、ＬＰＨ３３Ｙ、３３Ｍ、３３Ｃ、３３Ｋ毎に異なっているため、他のＬＰＨに設けられたＲＦＩＤタグと当該他のＲＦＩＤタグに対応するＲＦＩＤリーダ／ライタとによる無線通信の影響を受けず、且つ、各ＲＦＩＤタグ６１０Ｙ、６１０Ｍ、６１０Ｃ、６１０Ｋを識別する識別コードの認識処理を必要とせずに、各ＬＰＨ３３Ｙ、３３Ｍ、３３Ｃ、３３Ｋの光量補正データを読み出して取得することができるため、光量補正データ取得後の処理の開始が遅れたり、誤った光補正データでＬＥＤ素子の光量を補正して誤動作を生じさせることを低減でき、画像形成装置としての作業性及び信頼性の低下を防止することができる。
【００６６】
また、本実施の形態１においては、ＲＦＩＤタグとＲＦＩＤリーダ／ライタとが１対１の装置構成となるため、光量補正データを送受信する際の動作を簡素化することができ、作業性を向上できる。
【００６７】
なお、ＲＦＩＤタグから光量補正データを読み出す場合において説明したが、ＲＦＩＤリーダ／ライタ６２０Ｙ、６２０Ｍ、６２０Ｃ、６２０により各ＲＦＩＤタグ６１０Ｙ、６１０Ｍ、６１０Ｃ、６１０Ｋに光量補正データを書き込む場合も同様に、ＬＰＨ３３Ｙ、３３Ｍ、３３Ｃ、３３Ｋに設けられたＲＦＩＤタグ６１０Ｙ、６１０Ｍ、６１０Ｃ、６１０Ｋと当該ＲＦＩＤタグから光量補正データ読み出すＲＦＩＤリーダ／ライタ６２０Ｙ、６２０Ｍ、６２０Ｃ、６２０Ｋとの無線周波数がＬＰＨ３３Ｙ、３３Ｍ、３３Ｃ、３３Ｋ毎に異なっているため、他のＬＰＨに設けられたＲＦＩＤタグと当該他のＬＰＨに対応するＲＦＩＤリーダ／ライタによる無線通信の影響を受けず、且つ、各ＲＦＩＤタグ６１０Ｙ、６１０Ｍ、６１０Ｃ、６１０Ｋを識別する識別コードの認識処理を必要とせずに、各ＬＰＨ３３Ｙ、３３Ｍ、３３Ｃ、３３Ｋの光量補正データを書き込むことができる。
【００６８】
［実施の形態２］
以下、図を参照して本発明の実施の形態２を詳細に説明する。
本実施の形態２における画像形成装置１の概略断面構成図は、実施の形態１と同様であるため、図示及び説明は省略する。
【００６９】
図４に、実施の形態２の画像形成装置１の制御ブロック図を示す。
図４に示すように、実施の形態２の画像形成装置１の制御ブロック図は、実施の形態１のＲＦＩＤリーダ／ライタ６２０Ｙ、６２０Ｍ、６２０Ｃ、６２０Ｋに替えて、実施の形態２ではＲＦＩＤリーダ／ライタ６３０となる以外は、実施の形態１と略同様であるため、実施の形態１と同一部分には同一番号を付して説明を省略し、異なる部分のみ説明する。
【００７０】
ＲＦＩＤリーダ／ライタ６３０は、Ｉ／Ｏ１６０を介してＣＰＵ１１０と接続されており、ＣＰＵ１１０からの指示に従って、ＲＦＩＤタグ６１０Ｙ、６１０Ｍ、６１０Ｃ、６１０Ｋと個別的に無線通信を行うための４種類の無線周波数を発することが可能なアンテナコイルを有し、当該アンテナコイルによりＲＦＩＤタグ６１０Ｙ、６１０Ｍ、６１０Ｃ、６１０Ｋそれぞれに対して誘導電磁界を生じさせると共にＲＦＩＤタグ６１０Ｙ、６１０Ｍ、６１０Ｃ、６１０Ｋ内に記憶されている光量補正データの送受信を行う第２通信手段としての機能を実現する。
【００７１】
ＲＦＩＤリーダ／ライタ６３０が各色のＬＰＨ３３Ｙ、３３Ｍ、３３Ｃ、３３Ｋ毎に設けられたＲＦＩＤタグ６１０Ｙ、６１０Ｍ、６１０Ｃ、６１０Ｋそれぞれと無線通信を行う際の無線周波数は、同一周波数帯域内で互いに異なる周波数であり、実施の形態１と同様であるため、説明は省略する。
【００７２】
図５に、実施の形態２におけるＬＰＨ３３Ｙ、３３Ｍ、３３Ｃ、３３ＫとＲＦＩＤリーダ／ライタ６３０との上面図を示し、位置関係を説明する。
図５に示すように、ＬＰＨ３３Ｙ、３３Ｍ、３３Ｃ、３３Ｋは用紙Ｐの搬送方向Ｙと直交する方向（主走査方向Ｘ）に延在して設けられている。ＬＰＨ３３Ｙ、３３Ｍ、３３Ｃ、３３Ｋにそれぞれ設けられたＲＦＩＤタグ６１０Ｙ、６１０Ｍ、６１０Ｃ、６１０ＫがＬＰＨ３３Ｙ、３３Ｍ、３３Ｃ、３３Ｋの主走査方向Ｘにおける一端部近傍に設けられている場合、当該一端部近傍と対向する位置、即ち、ＲＦＩＤタグ６１０Ｙ、６１０Ｍ、６１０Ｃ、６１０Ｋと対向する位置にＲＦＩＤリーダ／ライタ６３０が設けられる。
【００７３】
本実施の形態２の動作は、ＲＦＩＤリーダ／ライタ６３０から順次、ＲＦＩＤタグ６１０Ｙ、６１０Ｍ、６１０Ｃ、６１０Ｋ毎に設定された無線周波数、即ち、ＬＰＨ３３Ｙ、３３Ｍ、３３Ｃ、３３Ｋ毎に設定された無線周波数が発せられ、光量補正データの読み出し又は書き込みがされるものである。
【００７４】
以上のように、本実施の形態２によれば、各色のＬＰＨ３３Ｙ、３３Ｍ、３３Ｃ、３３Ｋに設けられたＲＦＩＤタグ６１０Ｙ、６１０Ｍ、６１０Ｃ、６１０ＫとＲＦＩＤリーダ／ライタ６３０との無線周波数が、同一周波数帯域内で異なることにより、光量補正データを識別する識別コードの認識処理を必要とせずに、各ＬＰＨ３３Ｙ、３３Ｍ、３３Ｃ、３３Ｋに対応する光量補正データを取得することができるため、光量補正データ取得後の処理の開始が遅れたり、誤った光量補正データでＬＥＤ素子の光量を補正して誤動作を生じさせることを低減でき、画像形成装置１としての作業性及び信頼性の低下を防止することができる。
【００７５】
また、ＲＦＩＤタグ６１０Ｙ、６１０Ｍ、６１０Ｃ、６１０ＫとＲＦＩＤリーダ／ライタ６３０とがｎ対１（ｎは自然数）の装置構成となるため、ＲＦＩＤリーダ／ライタ６３０の設置コストや配線数の低減、即ち、メンテナンス部品数の低減が図られることから、信頼性の低減を防止することができる。
【００７６】
なお、本実施の形態１及び２においては、同一構成で且つ互いに異なる機能を実現する部材としてＬＰＨ３３Ｙ、３３Ｍ、３３Ｃ、３３Ｋを挙げて説明したが、これに限らず、感光体ドラム３１Ｙ、３１Ｍ、３１Ｃ、３１Ｋ、現像装置３４Ｙ、３４Ｍ、３４Ｃ、３４Ｋ、又は、画像形成部３０Ｙ、３０Ｍ、３０Ｃ、３０Ｋであってもよく、同様の効果を得られるものである。
【００７７】
更に、ＲＦＩＤタグが備えるＩＣチップの記憶容量に限界がある場合、各ＬＰＨに設けられるＲＦＩＤタグの数は複数であってもよい。各ＬＰＨに複数のＲＦＩＤタグが設けられている場合には、ＬＰＨ内に設けられているＲＦＩＤタグ毎に無線周波数を更に設定することとする。
【００７８】
また、本発明は、上記実施の形態１又は２の内容に限定されるものではなく、本発明の主旨を逸脱しない範囲で適宜変更可能である。
【図面の簡単な説明】
【００７９】
【図１】実施の形態１における画像形成装置の概略断面構成図である。
【図２】実施の形態１における画像形成装置の制御ブロック図である。
【図３】光量補正データ読出処理のフローチャートを示す図である。
【図４】実施の形態２の画像形成装置の制御ブロック図である。
【図５】実施の形態２におけるＬＰＨとＲＦＩＤリーダ／ライタとの上面図を示す図である。
【符号の説明】
【００８０】
１０  画像読取部
１１  自動原稿送り部
１２  読取部
２０  プリント部
３０、３０Ｙ、３０Ｍ、３０Ｃ、３０Ｋ  画像形成部
３１Ｙ、３１Ｍ、３１Ｃ、３１Ｋ  感光体ドラム
３２Ｙ、３２Ｍ、３２Ｃ、３２Ｋ  帯電装置
３３Ｙ、３３Ｍ、３３Ｃ、３３Ｋ  ＬＰＨ
３４Ｙ、３４Ｍ、３４Ｃ、３４Ｋ  現像装置
３５Ｙ、３５Ｍ、３５Ｃ、３５Ｋ  転写装置
３６Ｙ、３６Ｍ、３６Ｃ、３６Ｋ  クリーニング装置
４０  クリーニング部
５０  転写ベルト
６０  給紙部
６１  給紙トレイ
６１ａ、６２ａ  給紙ローラ
６２  手差しトレイ
７０  搬送部
７１ａ、７１ｂ  中間ローラ
７２  レジストローラ
７３  排紙ローラ
７４  排紙トレイ
８０  定着部
１００  本体制御部
１１０  ＣＰＵ
１２０  ＲＯＭ
１３０  不揮発メモリ
１４０  ＲＡＭ
１５１  画像処理部
１５２  ＬＰＨ制御部
１６０  Ｉ／Ｏ
２００  機構制御部
３００  操作表示部
４００  外部Ｉ／Ｆ
５００  バス
６１０Ｙ、６１０Ｍ、６１０Ｃ、６１０Ｋ  ＲＦＩＤタグ
６２０Ｙ、６２０Ｍ、６２０Ｃ、６２０Ｋ  ＲＦＩＤリーダ／ライタ
６３０  ＲＦＩＤリーダ／ライタ
Ｐ  用紙
Ｘ  主走査方向
Ｙ  搬送方向
【図１】
2008299085.tif 000003
【図２】
2008299085.tif 000004
【図３】
2008299085.tif 000005
【図４】
2008299085.tif 000006
【図５】
2008299085.tif 000007